(57)【要約】      （修正有）【課題】異臭を便器内に閉じこめることができ、収納と運送に便利で、成人用便器上に乗せても、滑りにくく、子供が落ちることがない幼児用便器を提供する。【解決手段】ベース１、内槽２、便座３及びカバー４などの部品から構成し、ベース１は設置スペース１１を中央に設け、周縁に階段状のフランジ部１１１を設け、ベース１の頂部周縁に複数の固定開口１３と固定穴１２、１２３を設け、ベース１の底部の周縁に複数の滑り防止パッド１４を設置し、内槽２は一頂面に開口を有する容器であり、周縁にフランジ部２２を設け、ベース１のフランジ部１１１上に載せることにより、内槽２は設置スペース１１内に固定され、内槽２には開口の片側に取っ手２１を設け、持ち運び等に用いる。【選択図】図１
0003107171.tif 000002
【実用新案登録請求の範囲】
【請求項１】
ベビー・チェア機能を有する幼児用便器であって、
ベースの中央部に設置スペースを設け、該設置スペースの頂部周縁に複数の固定開口及固定穴を設け、
内槽の頂端側に開口を設け、前述したベースの設置スペースに設置でき、
便座の中央部には下方に延伸する貫通穴を設け、該便座の底部には複数の穴及び固定片を設け、該複数の穴はそれぞれ固定棒或いは滑り防止パッドが取り付けられ、ベースの固定穴と組み合わされ、該固定片はそれぞれ直接ベース上の固定開口に挿し込まれ、便座とベースが堅固に結合され、
カバーの片側が便器に接し、便座の貫通口を開閉し、カバーを開けたときは、該便座に子供を乗せることができ、排泄物は前述の内槽に入れられ、カバーを閉めたときは、チェアとして使われることを特徴とする、ベビー・チェア機能を有する幼児用便器。
【請求項２】
前記便座の貫通部の前端周縁に円弧形の突起ブロックを有することを特徴とする、請求項１に記載のベビー・チェア機能を有する幼児用便器。
【請求項３】
前記カバーに貫通開口を設け、該貫通開口の横に円孤形の突起ブロックを設け、該カーバーを便座上に閉じた状態では、該貫通開口はちょうど便座の前端ブロック上にかぶさり、密閉状態になることを特徴とする、請求項１に記載のベビー・チェア機能を有する幼児用便器。
【請求項４】
前記カバーは便座の上端に設けられた凸部と接し、前記カバーを開けたときは、該凸部を利用し、カバーを支えて背板になることを特徴とする、請求項１に記載のベビー・チェア機能を有する幼児用便器。
【請求項５】
便座を直接成人便器の開口に置き、貫通部の前端を成人便器の前端内縁に置き、便座の後ろに設けた固定棒で成人便器の後端内縁に押さえ、便座が成人便器上から脱落させずに、もっとも安定した使用状態になることを特徴とする、請求項１に記載のベビー・チェア機能を有する幼児用便器。
【考案の詳細な説明】
【技術分野】
【０００１】
本考案はベビー・チェア機能を有する幼児用便器であり、特に成人用便器との併用或いは単独で使用でき、且つ子供を座らせる幼児用便器の構造に関する。
【背景技術】
【０００２】
汎用の幼児用便器とは、一つのベース、ベース上に取り付けられた一つの便座、ベース内に設けられた引き出し式内槽と便座上のカバーから構成され、該便座は、一つの背板、一つの肘かけ及び座枠から構成され、座枠上に一つの貫通口を設け、該貫通口の前端に一つの突起ブロックを設け、カバーの位置決めに用いる。該座枠の底部の適切な位置にガイド部品とスライド・レールを設ける。該ベースは一つの座体と一つの座体支持部を備え、座体にガイド溝と凹槽を設け、前述したガイド部品とスライド・レールとがそれぞれ噛み合い、該凹槽は一つの軌道上に設けられ、中央部は凹状に形成され、該スライド・レールが凹槽と噛み合うと一つのガイド軌道となり、引き出し式内槽に用いられる。該引き出し式内槽は一つの凹槽を備え、排泄物を受ける機能を有する。また、一つの持ち手と、スライドに用いる外縁部を備える。該外縁部を前述軌道及びスライド・レールに挿し込むと、便座とベースが一体となる。
【考案の開示】
【考案が解決しようとする課題】
【０００３】
しかし、上述の構造は実際の応用では下記の欠点を有する。
１．該カバーは、完全に便座の貫通口を密閉するが、カバー中央に一つの開閉用の貫通式の開口を設けており、該カバーの開口の隙間により、異臭を便器内に閉じ込めることができない。
２．幼児の背中を支える背板は、便器と一体成型でなっており、その背板は曲げられず、且つ外すことができず、巨大な体積なので、収納と運送の再に不便である。
３．今まで、成人用便器とうまく組みつける機構が見当たらないので、該幼児用便器を成人用便器上に乗せると、滑りやすくなり、子供が落ちる可能性が高い。
汎用便器構造では上述の欠点があるため、更なる改善を行い、本考案を生み出した。
【課題を解決するための手段】
【０００４】
本考案はベビー・チェア機能を有する幼児用便器であり、ベースの中央部に設置空間を設け、内槽の設置に用いる。該ベースの頂部周縁には便座が組み合わされて、該便座の中央部の内槽の開口に対応できる貫通口を設ける。該便座の頂部にカバーを設け、カバーを開けると、該便座は子供を乗せることができ、排泄物を前述の内槽へと導き、カバーを閉めると、チェアとして使われる機構が、本考案の主要目的である。
【０００５】
更に、便座の底部に複数の固定棒を設け、ベースの頂面に対応する固定穴に挿し込め、それ以外に便座をベースから外すと、直接成人用便器上に置き、固定棒を利用し、成人用便器の開口内縁に押え付け、成人用便器上からの脱落を防止するのに有効で、使用者の安全を保つことを本考案のもう一つの目的とする。
【０００６】
又、本考案のベビー・チェア機能を有する幼児用便器では、便座の貫通口の前端部に一円弧形の突起ブロックを設け、ベースとセットでの使用或いは成人用便器と併用しても、使用者の小便が外に飛び出ることを防止するのに有効であり、環境衛生を良好に保つことをもう一つ目的とする。
【考案を実施するための最良の形態】
【０００７】
本考案の構造、応用原理、作用と効果を下記の説明及び添付図面により説明する。
【０００８】
図１は本考案の構造のブロック図であり、図２と図３のカバーを閉めた状態の組み立て図と組み立て外観図を参照し、簡単に理解できる。本考案は、ベース１、内槽２、便座３及びカバー４などの部品から構成し、その中、該ベース１は設置スペース１１を中央に設け、該設置スペース１１の周縁に階段状のフランジ部１１１を設け、該ベース１の頂部周縁に複数の固定開口１３と固定穴１２、１２３を設け、又、該ベース１の底部の周縁に複数の滑り防止パッド１４を設置し、内槽２は一頂面に開口を有する容器であり、該開口の周縁にフランジ部２２を設け、ベース１のフランジ部１１１上に載せることにより、内槽２は該設置スペース１１内に固定され、該内槽２には開口の片側に取っ手２１を設け、持ち運び等に用いる。便座３の中央に貫通口３１を有し、前記貫通口３１の周縁部前端に円弧形の突起ブロック３２を設け、前記貫通口３１の頂面後端には二つのヒンジ部３４を設け、該便座３の底側に複数の穴３３１及び固定片３３を設け、それぞれベース１の固定穴１２、１２３及び固定開口１３に対応し、該穴３３１はそれぞれ複数の弾性を有する固定棒１２１或いは滑り防止１２２を挿し込むことにより、固定穴１２或いは１２３と組み合わせられる。又、各固定片３３は直接固定開口１３内に挿し込まれ、便座３とベース１が堅固に組み立てられる。
【０００９】
カバー４の片側に上向きに延伸する凸部４１を設け、該凸部４１の両側には下向き延伸するヒンジ片４１１を設置し、ベース３のヒンジ部３４と接する。前記カバー４の凸部４１の反対側に貫通穴４２１を設け、該貫通穴４２１の横に円弧形の突起後端ブロック４２を設け、前記カバー４をベース３に閉じたとき、該貫通穴４２１はちょうど便座３の前端ブロック３２上にかぶさり、且つ、該後端ブロック４２は前記前端ブロック３２と緊密に噛み合う。図４は本考案をベビー・チェアとして使用する実施例を示す図であり、図に示した通り、便座３とベース１とを組み立て、該カバー４で便座３閉じたときは、子供は直接カバー４の上に座れ、且つ該凸部４１は子供の腰の支えになり、一つの簡単なベビー・チェアを形成する。
【００１０】
図５は本考案のカバーを開けた状態の組み立て図である。又、図６と図７の組み立て外観図及び幼児便器の実施例図を参照すると、便座３とベース１とを組み立てた後、且つ前記カバー４を便座３の上に開いた状態では、子供は便座３に座り、又、前記カバー４が開いたままなので、前記凸部４１が便座３を押し付けることにより、カバー４が幼児の背中を支える。更に、幼児の大、小便の時は、前端ブロック３２が効果的に小便の飛び出ることを防止し、内槽２により幼児の排泄物を収集し、便座３、ベース１から分離し、内槽２にある取っ手２１を使い、取り出してから清掃する。
【００１１】
図８は本考案の便座を成人便器上に応用するための組み立て図である。又、図９の実施例図を参照すると、便座３とカバー４とを組み立てた後、直接便器５の開口に、前記貫通口３１の前端を便器の後端内縁部５１に置き、便座３１の固定棒１２１が便器５の後端内縁部５２に押し付けることにより、便座３が成人用便器から脱落することを効果的に防止でき、成人用便器５との併用が安易で、使用時の安全性を保つ。
【００１２】
上記説明の通り、本考案のベビー・チェア機能を有する幼児用便器は、確かに成人用便器との併用或いは単独使用においても、優れた効果や産業上の利用性、創作性及び進歩性を有し、既に実用新案登録出願の要件を満足しており、法に従って登録出願を提出するので、ご査察の上、早期に登録を受けるよう宜しくお願い申し上げます。又、上記の説明は、本考案の好ましい実施例の一つであり、本考案の実施範囲を限定するではなく、本考案に基づき、変化或いは修正するものは本考案の申請範囲内に属する。
【図面の簡単な説明】
【００１３】
【図１】本考案の構造ブロック図である。
【図２】本考案のカバーを閉じた状態の組み立て図である。
【図３】本考案のカバーが閉じた状態の組み立て外観図である。
【図４】本考案をベビー・チェアとして使用する場合の実施例を示す図である。
【図５】本考案のカバーを開けた状態の組み立て図である。
【図６】本考案のカバーを開けた状態の組み立て外観図である。
【図７】本考案を幼児用便器として使用する場合の実施例を示す図である。
【図８】本考案の便座を成人便器上で使用する場合の組み立て図である。
【図９】本考案の便座を成人便器上で応用する場合の実施例を示す図である。
【符号の説明】
【００１４】
１            ベース
１１          設置スペース
１１１        フランジ部
１２，１２３  固定穴
１２１        固定棒
１２２，１４  滑り防止パッド
１３          固定開口
２            内槽
２１          取っ手
２２          フランジ部
３            便座
３１          貫通口
３２          突起ブロック
３３          固定片
３３１        穴
３４          ヒンジ部
４            カバー
４１          凸部
４１１        ヒンジ片
４２          後端ブロック
４２１        貫通穴
５            便器
５１          前端内縁部
５２          後端内縁部
【図１】
0003107171.tif 000003
【図２】
0003107171.tif 000004
【図３】
0003107171.tif 000005
【図４】
0003107171.tif 000006
【図５】
0003107171.tif 000007
【図６】
0003107171.tif 000008
【図７】
0003107171.tif 000009
【図８】
0003107171.tif 000010
【図９】
0003107171.tif 000011